(57)【要約】【課題】映像信号として映画フィルムに基づいて生成されたフィルム画像信号またはそれと同等の画像信号が入力された場合に、その映像表示を、映写機による表示特性に近づけることができるようにする。【解決手段】入力映像信号に補間フレーム画像を挿入する画像挿入部１３と、補間フレーム画像が挿入された映像信号に基づいて映像表示を行う表示パネル１４とを備える。画像挿入部１３は、映画フィルムを映写機によって映写したときの表示特性に基づいて挿入期間と信号レベルとが最適化された画像を、補間フレーム画像として、入力映像信号Ｖｉｎにおける映画フィルムの各コマ間に相当する部分に挿入する。より具体的には、挿入期間と信号レベルとが、映画フィルムを映写機によって映写したときの各コマ間のシャッタ期間における表示特性を再現するように最適化された画像を、補間フレーム画像として挿入する。【選択図】図１
2010263643.tif 000002
【特許請求の範囲】
【請求項１】
入力映像信号が映画フィルムに基づいて生成されたフィルム画像信号またはデジタル撮影機器によって撮影することによって得られた、フィルム画像信号と同等の画像信号である場合に、前記入力映像信号に補間フレーム画像を挿入する画像挿入部と、
前記補間フレーム画像が挿入された映像信号に基づいて映像表示を行う表示部と
を備え、
前記画像挿入部は、前記映画フィルムを映写機によって映写したときの各コマ間のシャッタ期間における表示特性を再現するように、信号レベルが前記補間フレーム画像を挿入する直前の画像の信号レベルよりも低く最適化された画像を、前記補間フレーム画像として、前記入力映像信号における前記映画フィルムの各コマ間に相当する部分に挿入する
画像表示装置。
【請求項２】
前記入力映像信号は、第１フレーム画像とそれに続く第２フレーム画像とが異なる割合のフレーム数でプルダウン処理された画像信号であり、
前記画像挿入部は、前記入力映像信号を、前記第１フレーム画像と前記第２フレーム画像とが同じ割合のフレーム数となり、かつ、前記第１フレーム画像と前記第２フレーム画像とが切り替わる周期が、プルダウン処理前の切り替わり周期と同等となるようにフレームレート変換し、
そのフレームレート変換後の前記第１フレーム画像と前記第２フレーム画像との間に、前記補間フレーム画像を挿入する
請求項１に記載の画像表示装置。
【請求項３】
前記画像挿入部は、前記補間フレーム画像の挿入期間を、前記映画フィルムを映写機によって映写したときの各コマ間のシャッタ期間と同じとなるように最適化する
請求項１または２に記載の画像表示装置。
【請求項４】
前記表示部は、ホールド型の表示パネルである
請求項１ないし３のいずれか１項に記載の画像表示装置。
【発明の詳細な説明】
【技術分野】
【０００１】
本発明は、映像信号として、映画フィルムに基づいて生成されたフィルム画像信号が入力される画像表示装置に関する。
【背景技術】
【０００２】
一般に、映画撮影では、１秒間に２４コマの静止画を映画フィルムに記録する。映画館では、その映画フィルムを映写機によって、１秒間に２４コマの速さで連続的に映写することで動画表示する。すなわち、フレームレートとして２４コマ／秒（２４Ｈｚ）の動画表示がなされる。
【０００３】
一方、通常のＴＶ（テレビジョン）信号のフレームレートは、５０フレーム／秒（５０Ｈｚ）や６０フレーム／秒（６０Ｈｚ）である。このため、従来より、例えば２４コマ／秒のフィルム画像信号を通常のＴＶ信号の信号フォーマットに変換するテレビシネマ変換（テレシネ変換）と呼ばれる処理が行われている。テレシネ変換の例としては、２−２プルダウンや２−３プルダウンなどがある。例えば、２４コマ／秒のフィルム画像信号を、６０フレーム／秒の画像信号に変換する場合、２−３プルダウンが用いられる。例えばフィルム画像における第１フレームの画像をＡ、次の第２フレームの画像をＢとする。２−３プルダウンでは、フィルム画像におけるＡＢという画像の並びを、６０フレームの画像におけるＡＡＢＢＢという画像の並びに変換する。すなわち、フィルム画像の１コマ目の画像から２フレーム分の画像を生成し、次の２コマ目の画像から３フレーム分の画像を生成することで、２コマの画像から５フレームの画像を生成する。これを２４コマ分変換することで、６０フレームの画像が生成されるので、それを１秒間の表示期間に収めることで６０フレーム／秒の信号フォーマットとなる。同様にして、２−２プルダウンでは、フィルム画像におけるＡＢという画像の並びを、ＡＡＢＢという画像の並びに変換するような処理を行う。すなわち、２−２プルダウンでは、フィルム画像の各コマの画像から順次、２フレーム分の画像を生成する。
【０００４】
このようにプルダウン処理された信号は、画像の配列に特徴があるので、映像を再生する側の機器では、その画像の配列を検出することで、入力映像信号が映画フィルムに基づいて生成されたフィルム画像信号であることを検出することができる。これはフィルム検出と呼ばれる手法であり、従来から知られている（特許文献３参照）。
【０００５】
ＴＶ受像機などに入力される映像信号は、元の映像が映画フィルム画像であっても、放送局から送信されたり、ビデオプレイヤーから送信されたりする段階で５０Ｈｚや６０ＨｚのＴＶ信号に変換されて出力されている。
【０００６】
一方で、最近では、一般家庭における映画コンテンツの視聴環境が、映画館における映画フィルム上映との類似性を持たせやすくなってきている。例えば画面の大きさや精細度については、大型で横長かつ高精細なＴＶディスプレイが一般家庭にも普及してきている。また、ＴＶディスプレイの表示方式として、ＣＲＴ（陰極線管）方式に代わり、液晶表示方式が普及している。これによって、従来のＣＲＴで用いられてきたインタレーススキャン方式ではなく、プログレッシブ方式での表示が行われるようになってきた。このため、最近ではＴＶ受像機などにおいて、入力映像信号が５０Ｈｚや６０ＨｚのＴＶ信号に変換されていなくとも、２４コマ／秒のフィルム画像信号をそのままのフレームレートで表示するような表示が可能となってきている。このような表示方法は、２４ｐ再生などと呼ばれる。２４ｐ再生は、例えばＨＤＭＩ（High Definition Multimedia Interface）入力での１０８０ｐ２４信号が入力された場合に行われる。
【０００７】
このように最近では、液晶ＴＶなどにおいて、大画面かつ、高精細で、映画フィルムと同じフレームレートでの表示が可能となってきており、視聴環境を映画館での映画フィルム上映に類似させやすくなってきている。その一方で、液晶ＴＶなどのパネルデバイスは、いわゆるホールド型ディスプレイであるため、特に映画コンテンツのように２４コマ／秒の映像ではジャダーが目立ちやすく、画面の大型化でその度合いも高まるため、違和感を感じやすい。ホールド型ディスプレイでは、一度表示された画像は次の画像表示時まで同一の画像を表示し続けるような表示を行うものである。すなわち、フレーム間で映像の変化が無い場合、データのリフレッシュは行われず、同じ映像を出し続けることとなる。そのため、フレームの切り替わりで被写体が動いていると、人間の視覚特性によってその被写体が２重に映って見える。これがジャダーと呼ばれる現象である。
【先行技術文献】
【特許文献】
【０００８】
【特許文献１】特許第３７８８３９４号公報
【特許文献２】特許第３３８５５３０号公報
【特許文献３】特開２００５−１３０２８６号公報
【発明の概要】
【発明が解決しようとする課題】
【０００９】
ところで、映写機では、フィルムの任意の１コマが映写されている瞬間では、そのコマは映写機の所定位置に止まって映写されている。次のコマに切り替えるためにはフィルム送り（コマ送り）を行う必要がある。そのフィルム送りの間、映写ランプの光が回転シャッタによって遮られ、一瞬、スクリーン上には何も映らない状態ができる。そして、フィルムの次のコマが映写機の所定位置にフィルム送りされて完全に切り替わると、回転シャッタが開いてそのコマがスクリーン上に映写される。このように、映写機では、映画フィルムが、１コマごとに止まったり、送られたりという運動をすばやく繰り返す。また、各コマ間（フィルム送りの瞬間）は回転シャッタによるシャッタ期間となり一瞬、黒画面となる。映画館における映画フィルム上映においてもジャダーは発生するが、上記のようなフィルム上映の原理上、コマ間でシャッタを切る際に画面が瞬間的に黒画面になるため、ジャダーによる違和感はかなり軽減される。
【００１０】
そこで、液晶ＴＶなどのホールド型ディスプレイにおいても、実画面と黒画面とを１フレームずつ交互に繰り返して表示することでジャダーの影響を抑えるという方法が考えられる。しかしながら、単純に、実画面と黒画面とを１フレームずつ交互に繰り返して表示すると、
１）映像の輝度が大きく落ち込む
２）映画館で視聴する映像とはジャダーの見え方が違う
という問題が生じる。特許文献１および特許文献２には、液晶表示装置で生ずる残像感を低減するために、データ画面と黒画面とを交互に表示するような駆動方法が開示されている。しかしながら、映画フィルムを映写機によって映写したときの表示特性（発光特性）を考慮したような表示にはなっていない。このため、特に、フィルム画像信号による動画を表示した場合に、その見え方が、映写機による映写を行った場合とは異なって見えるという問題がある。
【００１１】
本発明はかかる問題点に鑑みてなされたもので、その目的は、映像信号として映画フィルムに基づいて生成されたフィルム画像信号またはそれと同等の画像信号が入力された場合に、その映像表示を、映写機による表示特性に近づけることができるようにした画像表示装置を提供することにある。
【課題を解決するための手段】
【００１２】
本発明の画像表示装置は、入力映像信号が映画フィルムに基づいて生成されたフィルム画像信号またはデジタル撮影機器によって撮影することによって得られた、フィルム画像信号と同等の画像信号である場合に、入力映像信号に補間フレーム画像を挿入する画像挿入部と、補間フレーム画像が挿入された映像信号に基づいて映像表示を行う表示部とを備えている。そして、画像挿入部が、映画フィルムを映写機によって映写したときの各コマ間のシャッタ期間における表示特性を再現するように、信号レベルが補間フレーム画像を挿入する直前の画像の信号レベルよりも低く最適化された画像を、補間フレーム画像として、入力映像信号における映画フィルムの各コマ間に相当する部分に挿入するようになされているものである。
【００１３】
ここで、本発明において、「フィルム画像信号」とは、信号フォーマットが例えば毎秒２４コマのフィルム映像、すなわちフレームレートが２４Ｈｚのフィルム画像信号である場合に限らない。例えば、２４Ｈｚのフィルム画像信号をプルダウン処理することによって生成された映像信号であっても良い。例えば、フレームレートが２４Ｈｚのフィルム画像信号を２−３プルダウンにより６０Ｈｚにフレームレート変換したような映像信号であっても良い。
【００１４】
本発明の画像表示装置では、入力映像信号が映画フィルムに基づいて生成されたフィルム画像信号またはデジタル撮影機器によって撮影することによって得られた、フィルム画像信号と同等の画像信号である場合に、入力映像信号に補間フレーム画像が挿入される。補間フレーム画像としては、映画フィルムを映写機によって映写したときの表示特性に基づいて挿入期間と信号レベルとが最適化された画像が挿入される。また、補間フレーム画像は、入力映像信号における映画フィルムの各コマ間に相当する部分に挿入される。
【００１５】
より具体的には、映画フィルムを映写機によって映写したときの各コマ間のシャッタ期間における表示特性を再現するように、信号レベルが補間フレーム画像を挿入する直前の画像の信号レベルよりも低く最適化された画像が、補間フレーム画像として挿入される。
【００１６】
また例えば、補間フレーム画像の挿入期間が、映画フィルムを映写機によって映写したときの各コマ間のシャッタ期間と同じとなるように最適化するようにしても良い。
この場合、補間フレーム画像の信号レベルが、補間フレーム画像を挿入する直前の画像の信号レベルよりも低くなるように最適化されているので、人間の視覚特性を考慮した表示がなされ、鑑賞者が受ける印象を、映写機によってフィルム上映した場合に近づけやすくなる。また、挿入期間を変化させるのに比べて信号レベルを変化させることは比較的容易であるため、例えば視聴環境に応じて補間フレーム画像の表示を変化させることが可能となる。これにより、例えば視聴環境が映画館よりも明るい一般家庭において映像表示を行う場合であっても、鑑賞者が受ける印象を、映写機によってフィルム上映した場合に近づけやすくなる。
【発明の効果】
【００１７】
本発明の画像表示装置によれば、入力映像信号が映画フィルムに基づいて生成されたフィルム画像信号またはデジタル撮影機器によって撮影することによって得られた、フィルム画像信号と同等の画像信号である場合に、映画フィルムの各コマ間に相当する部分に補間フレーム画像を挿入するようにした。そして、その補間フレーム画像として、映画フィルムを映写機によって映写したときの表示特性に基づいて挿入期間と信号レベルとが最適化された画像を挿入するようにした。これにより、映像信号として映画フィルムに基づいて生成されたフィルム画像信号が入力された場合に、その映像表示を、映写機による表示特性に近づけることができる。
【図面の簡単な説明】
【００１８】
【図１】本発明の第１の実施の形態に係る画像表示装置の全体構成の一例を示すブロック図である。
【図２】映写機の出画波形の一例を示す波形図である。
【図３】人間の視覚特性を考慮した場合の映写機の表示特性を模式的に示す波形図である。
【図４】本発明の第１の実施の形態に係る画像表示装置における信号出力波形を示す波形図である。
【図５】本発明の第２の実施の形態に係る画像表示装置における信号出力波形を示す波形図である。
【図６】２−３プルダウンされたフィルム画像信号のフレーム構成を示す説明図である。
【図７】２−３プルダウンされたフィルム画像信号のフレームレートを通常の処理により倍速化したときのフレーム構成を示す説明図である。
【図８】２−３プルダウンされたフィルム画像信号のフレームレートを、映写機による表示特性に近づけやすくするように倍速化したときのフレーム構成を示す説明図である。
【発明を実施するための形態】
【００１９】
以下、本発明の実施の形態について図面を参照して詳細に説明する。
【００２０】
＜第１の実施の形態＞
［画像表示装置の構成］
図１は、本発明の第１の実施の形態に係る画像表示装置の全体構成の一例を示している。この画像表示装置は、入力映像信号Ｖｉｎに対して所定の画像処理を行う画像処理部１１と、入力映像信号Ｖｉｎがフィルム画像信号であるか否かを検出するフィルム信号検出部１２とを備えている。この画像表示装置はまた、入力映像信号Ｖｉｎがフィルム画像信号であった場合に補間フレーム画像を挿入する処理を行う画像挿入部１３と、画像挿入部１３から出力された後の映像信号に基づく映像表示を行う表示パネル１４とを備えている。この画像表示装置はまた、画像処理部１１、フィルム信号検出部１２、および画像挿入部１３に接続され、それらと通信を行うＭＰＵ（Micro Processor Unit）１５を備えている。
【００２１】
表示パネル１４は、ホールド型の表示パネルであり、例えば液晶表示パネルで構成されている。本実施の形態において、表示パネル１４が、本発明における「表示部」の一具体例に対応する。
【００２２】
ここで、本実施の形態において、「フィルム画像信号」とは、映画フィルムに基づいて生成された信号全般のことを指し、信号フォーマットが例えば毎秒２４コマのフィルム映像、すなわちフレームレートが２４Ｈｚのフィルム画像信号である場合に限らない。例えば２４Ｈｚのフィルム画像信号を、２−２プルダウンによりフレームレート変換したような映像信号であっても良い。
【００２３】
上述したように、２−２プルダウンや２−３プルダウン処理された信号は、画像の配列に特徴があり、その画像配列の特徴を検出することで、入力映像信号Ｖｉｎが映画フィルムに基づいて生成されたフィルム画像信号であることを検出することができる。このフィルム検出の手法は、従来から知られている。フィルム信号検出部１２は、そのようなフィルム検出の手法により、入力映像信号Ｖｉｎがプルダウン処理された信号であるか否かを検出するようになっている。フィルム信号検出部１２での検出結果は、画像挿入部１３に通知されるようになっている。また、例えばＨＤＭＩ入力での１０８０ｐ２４信号のように、フレームレートが２４Ｈｚのフィルム画像信号が入力映像信号Ｖｉｎとして入力される場合もある。ＭＰＵ１５は、入力映像信号Ｖｉｎの信号フォーマットを検知する機能を有し、そのようなＨＤＭＩ入力でのフィルム画像信号が入力されたことを検出して画像挿入部１３に通知するようになっている。
【００２４】
画像挿入部１３は、フィルム信号検出部１２またはＭＰＵ１５において入力映像信号Ｖｉｎとしてフィルム画像信号が入力されたことが検出された場合に、入力映像信号Ｖｉｎ中に補間フレーム画像を挿入する処理を行うようになっている。画像挿入部１３は、入力映像信号Ｖｉｎにおける映画フィルムの各コマ間に相当する部分に補間フレーム画像を挿入するようになっている。また、画像挿入部１３は、補間フレーム画像として、映画フィルムを映写機によって映写したときの表示特性に基づいて挿入期間と信号レベルとが最適化された画像を挿入するようになっている。
【００２５】
［画像表示装置の動作］
次に、本実施の形態に係る画像表示装置の動作を説明する。
この画像表示装置では、入力映像信号Ｖｉｎが画像処理部１１を介してフィルム信号検出部１２に入力される。フィルム信号検出部１２は、入力映像信号Ｖｉｎがプルダウン処理された信号であるか否かを検出し、その結果を入力映像信号Ｖｉｎと共に画像挿入部１３に出力する。また、ＭＰＵ１５においても、入力映像信号Ｖｉｎの信号フォーマットを検知し、例えば１０８０ｐ２４のようなフィルム画像信号が入力されたことを検出して画像挿入部１３に通知する。画像挿入部１３は、入力映像信号Ｖｉｎがフィルム画像信号であった場合には補間フレーム画像を挿入する処理を行って表示パネル１４に出力する。なお、入力映像信号Ｖｉｎがフィルム画像信号でない場合には、補間フレーム画像を挿入する処理を行わずに入力映像信号Ｖｉｎを表示パネル１４に出力する。表示パネル１４では、画像挿入部１３から出力された後の映像信号に基づく映像表示を行う。
【００２６】
以下、画像挿入部１３で行われる補間フレーム画像の挿入処理について具体的に説明する。図２は、映画フィルムを映写機によって映写したときの出画波形の一例を示している。図２において、横軸は時間、縦軸は映像の表示状態（信号レベルに対応する）を示している。ここでは、説明を簡単にするため、映画フィルムの映像表示がオン状態（例えば信号レベルの白レベルに対応する状態）と、映像表示がオフ状態（信号レベルが黒レベルに対応する状態）との２つの状態があるものとする。図２において、ＴＷ０は、映画フィルムの１フレーム期間に相当し、例えば２４コマ／秒（２４Ｈｚ）のフィルムフォーマットであれば、
ＴＷ０＝１／２４秒（２４Ｈｚ）
である。映写機では、各コマ間（フィルム送りの瞬間）は回転シャッタによるシャッタ期間となり一瞬、黒画面となる。ＴＷ１は、そのシャッタ期間を示す。ＴＷ２は、期間ＴＷ０からシャッタ期間ＴＷ１を差し引いた期間であり、実際にスクリーン上に映像が映し出される映像表示期間である。シャッタ期間ＴＷ１は、例えば１／９６秒（９６Ｈｚ）である。
【００２７】
映写機による映写では、このようなシャッタ期間ＴＷ１があり、コマ間でシャッタを切る際に画面が瞬間的に黒画面になるため、ジャダーによる違和感はかなり軽減される。従って、画像挿入部１３では、例えばそのシャッタ期間ＴＷ１の表示特性を再現するような補間フレーム画像を生成して挿入するようにすれば良い。すなわち、単純には、信号レベルが黒レベルで、挿入期間（フレーム期間）がシャッタ期間ＴＷ１と同じとなるような補間フレーム画像を、生成して挿入するようにすれば良い。この場合、シャッタ期間ＴＷ１が１／９６秒であれば、画像挿入部１３として、９６Ｈｚ以上の信号処理能力を有する回路を用いれば良い。
【００２８】
ところで、図２に示した出画波形は人間の視覚特性が考慮されていない。そこで、図３に、人間の視覚特性を考慮した場合の映写機の表示特性を模式的に示す。ここで、図２および図３において、時刻ｔ２から始まり、時刻ｔ３で終わるシャッタ期間ＴＷ１について考察する。人間の目には残像特性があるため、時刻ｔ２で回転シャッタを切ったとしても、人間の目に受ける刺激は図２のように時刻ｔ２を境にすぐに白レベルから黒レベルに落ちたりはせず、図３に示したように、徐々に信号レベルが下がるような刺激を受ける。また、回転シャッタが時刻ｔ３で完全に開き始めるまでにわずかにタイムラグがあるので、時刻ｔ３の付近で徐々に信号レベルが上がるような刺激を受ける。従って、視覚特性を考慮すると、領域２１で示した部分が、人間の目には映像として認識されていない領域となる。実際の映画館での上映と同じような見え方を再現するためには、視覚特性を考慮した図３に示したような映像波形を実現することが好ましい。
【００２９】
しかしながら、補間フレーム画像を挿入して図３に示したような斜めの信号波形を有する映像波形を完全に再現することは困難である。そこで、図３に示した映像波形に代えて、図４に示したような映像波形を再現すれば良い。なお、図２〜図４において、各軸のスケールは同じにしてある。すなわち、画像挿入部１３では、信号レベルを黒レベルにすると共に、挿入期間が、シャッタ期間ＴＷ１よりも短い期間ＴＷ３となるように最適化された画像を、補間フレーム画像として挿入するようにすれば良い。なお、図４において、ＴＷ４は、期間ＴＷ０から補間フレーム画像の挿入期間ＴＷ３を差し引いた期間であり、実際に表示パネル１４に元のフィルム画像の映像が表示される映像表示期間である。図２および図３に示したシャッタ期間ＴＷ１が１／９６秒（９６Ｈｚ）であるものとすると、図４の最適化された挿入期間ＴＷ３は、例えば期間ＴＷ１を倍速化した１／１９２秒（１９２Ｈｚ）である。従って、図４のような信号波形を実現するためには、画像挿入部１３として、１９２Ｈｚ以上の信号処理能力を有する回路を用いれば良い。
【００３０】
以上説明したように、本実施の形態に係る画像表示装置によれば、入力映像信号Ｖｉｎがフィルム画像信号である場合に、映画フィルムの各コマ間に相当する部分に補間フレーム画像を挿入するようにした。そして、その補間フレーム画像として、映写機の表示特性に基づいて挿入期間と信号レベルとが最適化された画像を挿入するようにした。これにより、映像信号Ｖｉｎとしてフィルム画像信号が入力された場合に、その映像表示を、映写機による表示特性に近づけることができる。
【００３１】
また、本実施の形態に係る画像表示装置を、家庭などで使用されるテレビ受像機として用いることで、家庭などでテレビの映像を見たときに受ける視聴者の印象を、映画館で上映される映像を見たときに視聴者が受ける印象に近づけることができる。これにより、映画館で鑑賞する場合と同様の臨場感のある視聴が家庭で実現可能となる。また、本実施の形態に係る画像表示装置において用いられている、フィルム画像信号の検出技術や補間フレーム画像を挿入する映像技術自体は、従来から一般的に使われている技術を適用可能である。すなわち、本実施の形態に係る画像表示装置における回路構成自体は、従来から一般的に使われている技術を複合的に用いることで実現可能であり、回路規模を従来に比べて著しく増大させること無く実現可能である。
【００３２】
＜第２の実施の形態＞
次に、本発明の第２の実施の形態に係る画像表示装置について説明する。なお、上記第１の実施の形態に係る画像表示装置と実質的に同一の構成部分には同一の符号を付し、適宜説明を省略する。
【００３３】
本実施の形態に係る画像表示装置の基本回路構成は図１と同じであるが、画像挿入部１３で生成する補間フレーム画像が異なる。上記第１の実施の形態では、視覚特性を考慮した映写機の表示特性（図３）を、黒レベルの補間フレーム画像を挿入することで実現するようにした。その際、挿入期間（補間フレーム画像のフレーム期間）は、シャッタ期間ＴＷ１よりも短い期間ＴＷ３となるように最適化するようにした（図４）。しかしながら、図４に示した手法を実現するためには、回路構成として、例えば１９２Ｈｚ以上の高い処理能力を有する回路が必要とされる。本実施の形態では、そのような高い処理能力を有する回路を用いることなく、低コストで視覚特性を考慮した映写機の表示特性を実現可能にする。
【００３４】
図５は、本実施の形態に係る画像表示装置において、入力映像信号Ｖｉｎがフィルム画像信号であった場合に生成される信号波形を示している。なお、図５における各軸のスケールは、図２〜図４と同じにしてある。本実施の形態では、画像挿入部１３において、信号レベルが、補間フレーム画像を挿入する直前の画像の信号レベルよりも低くなるように最適化された画像を、補間フレーム画像として挿入する。その挿入期間は、シャッタ期間ＴＷ１と同じとなるように最適化する。例えば、図５に示したように、補間フレーム画像を挿入する直前の画像の信号レベルがＡであるものとすると、そのα倍（αは１よりも小さい係数）の、信号レベルＡ×αの信号を、補間フレーム画像として挿入する。このような信号レベルの信号を挿入することで、挿入期間がシャッタ期間ＴＷ１と同じであっても、視覚特性を考慮した映写機の表示特性（図３）と同等の表示特性を得ることができる。この場合、シャッタ期間ＴＷ１が１／９６秒であれば、画像挿入部１３として、９６Ｈｚ以上の信号処理能力を有する回路を用いれば良い。すなわち、上記第１の実施の形態のように挿入期間をシャッタ期間Ｔ１よりも短い期間ＴＷ３となるように最適化する場合に比べて、信号処理能力の低い回路で実現可能である。
【００３５】
ところで、実際の映画館での視聴環境と家庭の部屋での視聴環境とで、特に大きく異なるのは、１．画面サイズと２．環境の明るさであり、以下のような問題が生ずる。
１．画面サイズ（人間の視界に対して画面が占める割合）が大きい方が、ジャダーを感じやすい。
２．スクリーン以外に反射光のない映画館に対して、一般的に家庭環境では照明や外光、また壁や家具によってそれらの反射光が存在する。このため、ディスプレイに表示される画面自体が、映画館におけるフィルム上映より明るいものであることが求められる。このため、補間フレーム画像挿入の期間が映画館でのシャッタ期間ＴＷ１と同じでも、環境に対して画面が暗いと感じやすい。
【００３６】
上記１．２．を総合すると、家庭環境においては、映画フィルム上映での回転シャッタによる黒画面期間（シャッタ期間ＴＷ１）よりも短い期間で黒画面の挿入を行うことによって、画面の明るさを保ちつつ、映画館と似た印象を与えるジャダーを持った映像表示ができる。これが図４に示した手法である。しかしながら、黒画面の挿入期間を任意に調節することは、回路として高い処理能力が要求されるため困難である。一方、図５に示した手法によれば、上記係数αを適宜調整することで、上記１、２を考慮して最適化されたジャダー量を再現することが容易に可能となる。すなわち、本実施の形態に係る画像表示装置によれば、係数αを適宜調整することで、家庭の視聴環境により適した映像表示を容易に実現可能となる。
【００３７】
＜第３の実施の形態＞
次に、本発明の第３の実施の形態に係る画像表示装置について説明する。なお、上記第１または第２の実施の形態に係る画像表示装置と実質的に同一の構成部分には同一の符号を付し、適宜説明を省略する。
【００３８】
上記第１の実施の形態における表示手法（図４）と上記第２の実施の形態における表示手法（図５）とにおいて、補間フレーム画像は、映画フィルムの各コマ間に相当する部分に挿入される。この場合、入力映像信号Ｖｉｎの信号フォーマットが例えば１０８０ｐ２４のようなフィルム画像信号の場合には、各コマの構成（フレーム構成）が映画フィルムとまったく同じであるため、単純に、各コマ間に相当する部分に補間フレーム画像を挿入することができる。また、入力映像信号Ｖｉｎが２−２プルダウン処理されたものである場合にも、実質的に各フレーム構成は映画フィルムと同じであるため、同様に処理できる。すなわち、２−２プルダウン処理された信号では、１つのコマから２フレーム分の画像を生成するので、２フレーム周期で映像が切り替わる。この２フレーム周期が、映画フィルムの１周期（例えば２４Ｈｚ）と同じである。このため、２フレーム期間ごとに補間フレーム画像を挿入する処理を行うことで、実質的に映写機での表示特性を再現できる。
【００３９】
一方、２−３プルダウン処理された信号の場合には、２−２プルダウン処理のように単純な周期で映像が切り替わらないので、補間フレーム画像を単純に２４Ｈｚの周期で挿入することはできない。図６は、２−３プルダウン処理された信号の画像構成（フレーム構成）を模式的に示している。２−３プルダウン処理では例えば、２４コマ／秒のフィルム画像信号を、６０フレーム／秒の画像信号に変換する。例えば元となるフィルム画像における第１フレームの画像をＡ、次の第２フレームの画像をＢとすると、２−３プルダウンでは、フィルム画像におけるＡＢという画像の並びを、６０フレームの画像におけるＡＡＢＢＢという画像の並びに変換する。すなわち、フィルム画像の１コマ目の画像から２フレーム分の画像を生成し、次の２コマ目の画像から３フレーム分の画像を生成することで、２コマの画像から５フレームの画像を生成する。
【００４０】
図６では、画像が動画であるものとし、画像の位置の違いによりフレームの違いを表現している。２−３プルダウン処理された信号では、２フレーム分の画像が表示された後、次に３フレーム分の画像が表示され、その次には２フレーム分の画像が表示され、というような映像の切り替わり周期となる。従って、このままでは、映像の切り替わり周期が、元となる映画フィルムの切り替わり周期とは異なってしまう。このため、２−３プルダウン処理された信号を倍速処理して、元となる映画フィルムの切り替わり周期に合わせることを考える。
【００４１】
図７は、図６に示した６０Ｈｚの２−３プルダウン信号を単純に１２０Ｈｚの画像信号にフレームレート変換した場合のフレーム構成を模式的に示している。図７に示したように、単純に倍速にフレームレート変換しただけでは、映像の切り替わり周期が１２０Ｈｚにおける４フレーム期間と６フレーム期間とで切り替わる。すなわち、切り替わり周期は不規則なままである。
【００４２】
これに対し図８は、図６に示した６０Ｈｚの２−３プルダウン信号を、映像の切り替わり周期が映画フィルムの切り替わり周期と同じとなるように、１２０Ｈｚの画像信号にフレームレート変換した場合のフレーム構成を模式的に示している。図７に示したような単純な倍速処理を行うのではなく、１フレーム分、映像を前に持って来て、映像の切り替わり周期が１２０Ｈｚにおける５フレーム期間で周期的に切り替わるような構成とする。この５フレーム周期が、映画フィルムの１周期（２４Ｈｚ）と同じである。このため、５フレーム期間ごとに補間フレーム画像を挿入する処理を行うことで、実質的に映写機での表示特性を再現できる。図１に示した回路構成において、例えば画像挿入部１３で、補間フレーム画像を挿入する際に、このようなフレームレート変換を行えば良い。
【００４３】
＜その他の実施の形態＞
本発明は、上記各実施の形態に限定されず、その他の変形実施が可能である。
例えば、上記第１の実施の形態と第２の実施の形態とを合わせたような表示手法も可能である。すなわち、挿入期間をシャッタ期間よりも短い期間となるように最適化すると共に、信号レベルを直前の画像の信号レベルよりも低くなるように最適化するようにした画像を、補間フレーム画像として挿入するようにしても良い。
【００４４】
また、以上の説明では、入力映像信号Ｖｉｎが、映画フィルム（銀塩フィルム）に基づいて生成されたフィルム画像信号であるものとして説明したが、いわゆるデジタルシネマの製作で用いられるような、デジタル機器によって生成された画像信号であっても良い。例えば、映画フィルムと同等のコマ数（２４フレーム／秒）で撮影可能なデジタルビデオカメラによって生成された、実質的に映画フィルムと同等のフレーム構成のデジタル画像信号であっても良い。
【符号の説明】
【００４５】
ＴＷ０…フレーム期間、ＴＷ１…シャッタ期間、ＴＷ２，ＴＷ４…映像表示期間、ＴＷ３…挿入期間、Ｖｉｎ…入力映像信号、１１…画像処理部、１２…フィルム信号検出部、１３…画像挿入部、１４…表示パネル、１５…ＭＰＵ。
【図１】
2010263643.tif 000003
【図２】
2010263643.tif 000004
【図３】
2010263643.tif 000005
【図４】
2010263643.tif 000006
【図５】
2010263643.tif 000007
【図６】
2010263643.tif 000008
【図７】
2010263643.tif 000009
【図８】
2010263643.tif 000010